(57)【要約】      （修正有）【課題】多機能ボールペンの構造を提供する【解決手段】主に中空状のペン軸1とペン先鞘4、ペン軸1内に設置する芯3、ペン先鞘を収めるキャップ5で構成する多機能ボールペンである。別途耳掻きの機能を具有するため、芯3の末端、或いはキャップ5のクリップ51の末端に、やや彎曲する内側耳掻き31或いはクリップ耳掻き51aを設けると同時に、シート14をペン軸(1の内側に設けることで、収納空間を作る。【選択図】  図１
0003138258.tif 000002
【実用新案登録請求の範囲】
【請求項１】
ペン軸(1)、ペン先鞘(4)、芯(3)を具有し、
ペン軸(1)は中空状を呈し、先端の内壁にペン軸ねじ山(11)を設け、及び、
ペン先鞘(4)はほぼ中空状のその先端が円錐状を呈し、該先端に芯の穴(42)を設け、該芯の穴(42)の別端外壁に、ペン軸に対応するねじ山(11)のスクリュー(41)を設け、及び、
芯(3)は大まか細長い形状であり、該内部にインクを含み、筆記部(30)を具有し、該筆記部(30)の末端にやや彎曲状を呈す内側耳掻き(31)を設け、該筆記部(30)の直径は、該芯の穴(42)に対応することを特徴とする多機能ボールペン。
【請求項２】
前記芯(3)の末端は熱溶解でやや彎曲状に定型し、内側耳掻き(31)を構成することを特徴とする請求項1記載の多機能ボールペン。
【請求項３】
該多機能ボールペンは更に芯の穴(32)及び内側耳掻き部品(33)を含み、
該芯の穴(32)は該芯(3)の末端に設け、及び、
該内側耳掻き部品(33)はやや彎曲状を呈し、細長い差込(33a)を具有し、該差込(33a)の直径は該芯の穴(32)と対応し、及び、
該内側耳掻き部品(33)の差込(33a)を該芯(3)の芯の穴(32)に挿入し、該内側耳掻きを構成することを特徴とする請求項1記載の多機能ボールペン。
【請求項４】
該ペン軸(1)末端から少し離れた場所にシート(14)を設け、該シート(14)のサイズはペン軸(1)の内側直径に合わせているため、該シート(14)からペン軸(1)の末端までの間、ペン軸(1)内部空間にペン軸収納空間(12)を形成することを特徴とする請求項1記載の多機能ボールペン。
【請求項５】
前記多機能ボールペンは更に止め具(7)を含み、該直径は該ペン軸(1)末端にある該ペン軸穴(13)の内側直径と対応することを特徴とする請求項4記載の多機能ボールペン。
【請求項６】
前記多機能ボールペンは更にキャップ(5)を含み、該キャップは中空の円錐状の形態を呈し、キャップからクリップ(51)を延伸し、該クリップ(51)の末端にクリップ耳掻き(51a)を設けることを特徴とする請求項1記載の多機能ボールペン。
【請求項７】
ペン軸(1)、ペン先鞘(4)、芯(3)、キャップ(5)を含み、
ペン軸(1)は中空状を呈し、先端の内壁にペン軸ねじ山(11)を設け、及び、
ペン先鞘(4)はほぼ中空状のその先端が円錐状を呈し、該先端に芯の穴(42)を設け、該芯の穴(42)の別端の外壁に、ペン軸に対応するねじ山(11)のスクリュー(41)を設け、及び、
芯(3)はほぼ細長い形状であり、該内部にインクを含み、筆記部(30)を具有し、該筆記部(30)の直径は該芯の穴(42)に対応し、及び、
キャップ(5)は中空円錐状を呈し、クリップ(51)を延伸、該クリップ(51)の末端にクリップ耳掻き(51a)を設けることを特徴とする多機能ボールペン。
【請求項８】
前記芯(3)の該筆記部(30)の別端末端にやや彎曲状を呈す内側耳掻き(31)を設けることを特徴とする請求項7記載の多機能ボールペン。
【請求項９】
前記芯(3)の末端は熱溶解により、やや彎曲状に定型し、内側耳掻き(31)を構成することを特徴とする請求項8記載の多機能ボールペン。
【請求項１０】
前記多機能ボールペンは更に芯の穴(32)、内側耳掻き部品(33)を含み、
芯の穴(32)は該芯(3)の末端に設け、及び、
内側耳掻き部品(33)はやや彎曲状を呈し、細長い差込(33a)を具有し、該差込(33a)の直径サイズは該芯の穴(32)に対応し、及び、
該内側耳掻き部品(33)の該差込(33a)を該芯(3)の該芯の穴(32)に挿入すると、内側耳掻きを構成することを特徴とする請求項8記載の多機能ボールペン。
【請求項１１】
前記ペン軸(１)の末端から少し離れた場所にシート(14)を設け、シート(14)のサイズはペン軸(1)の内側直径に合わせ、且つシート(14)からペン軸(1)の末端までの間、ペン軸(1)内部空間にペン軸収納空間(12)を形成することを特徴とする請求項7記載の多機能ボールペン。
【請求項１２】
前記多機能ボールペンは更に止め具(7)を含み、該直径は該ペン軸(1)末端の該ペン軸穴(13)の内側直径と対応することを特徴とする請求項11記載の多機能ボールペン。
【考案の詳細な説明】
【技術分野】
【０００１】
本考案はボールペンの構造に関し、特に多機能のボールペンに関する。
【背景技術】
【０００２】
一般的に人々は耳掻きを持ち歩くことが少ない。耳がむずむずと痒い場合、多くは指や先の尖った物体で耳垢をほじるため、耳にダメージを与えやすい。逆にボールペンはほぼ持ち歩くものであるため、ボールペンに耳垢をほじる構造を具有すれば、非常に便利となるため、本考案は耳掻きを設置した多機能ボールペンを提供する。
【特許文献１】特開２００４−２９０２５０号公報
【考案の開示】
【考案が解決しようとする課題】
【０００３】
本考案の主な目的は、多機能のボールペンを提供することにある。該インク芯(3)の末端或いはキャップ(5)のクリップ(51)の末端に、やや彎曲した耳掻き(31)或いはクリップの耳掻き(51a)を設置することで、随時携帯するボールペンで耳垢を取ることができる。
【課題を解決するための手段】
【０００４】
前記課題を解決するために、本考案の多機能ボールペンは中空のペン軸(1)、ペン軸(1)に接続するペン先鞘 (4)、ペン軸(1)の内部に設置するインク芯(3)、ペン先鞘 (4)をかぶせるキャップ(5)から構成されている。本考案の多機能ボールペンが耳掻きの機能を備えるために、インク芯(3)の末端或いはキャップ(5)のクリップ(51)の末端に、やや彎曲した内側耳掻き(31)或いはクリップ耳掻き(51a)を設置する。また、シート(14)に合わせ、ペン軸(1)内に収納空間(12)を設ける。
【考案の効果】
【０００５】
本考案は、随時携帯するボールペンに耳掻きを備え付けることで、耳が痒くなったとき、いつでも耳垢が取ることができるため、尖ったもので耳をほじることにより、ダメージを受けることがなくなる。
【考案を実施するための最良の形態】
【０００６】
図１に示すのは、本考案の多機能ボールペンの略図である。一般のボールペンと同じく、中空状のペン軸(1)、ペン軸(1)に接続するペン先鞘 (4)、ペン軸(1)内に設置する芯(3)、ペン先鞘(4)をかぶせるキャップ(5)で構成している。まず従来技術のボールペン構造を説明してから、上述二種類の特殊構造について言及する。
【０００７】
いずれの実施方法でも、ボールペンに必要な構造はペン軸(1)、ペン先鞘 (4)、芯(3)、キャップ(5)である。ペン軸(1)の先端内壁の上にねじ山(11)を設ける。ペン先鞘 (4)はほぼ中空状の形状であり、その先端は円錐状を呈す。該先端に芯の穴(42)を設け、芯の穴(42)の別端の外壁に、ペン軸に対応するねじ山(11)のスクリュー(41)を設ける。芯(3)は大まか細長い形状であり、該内部にインクを含み、筆記部(30)を具有する。筆記部(30)の直径は芯の穴(42)に相対する。キャップ(5)はほぼ中空の円柱体であろ、クリップ(51)を延伸する。
【０００８】
本考案の多機能ボールペンが別途耳掻きの機能を備え付けるために、芯(3)の末端にやや彎曲した内側耳掻き(31)或いはキャップ(5)のクリップ(51)の末端にやや彎曲したクリップ耳掻き(51a) を設置する。
【０００９】
内側耳掻き(31)、クリップ耳掻き(51a)のいずれも、熱溶解定型を利用し、やや彎曲状に作る。即ち、芯(3)の末端を熱溶解でやや彎曲状に定型し、内側耳掻き(31)を構成する。また、芯(3)本体の具有する構造を利用し、ほかの部品設計とあわせることで、相同の効果を持つ内側耳掻き(31)を構成する。
【００１０】
図２に示すのは、本考案の芯の略図である。芯(3)の末端は穴(32)である。相同効果のある内側耳掻き(31)を構成するために、別途内側耳掻き部品(33)をデザインし、やや彎曲状に呈す形状は、細長い差込(33a)を具有する。差込(33a)の直径は穴(32)に合わせた大きさである。内側耳掻き部品(33)の差込(33a)を芯(3)の穴(32)に挿入すると、相同の効果を持つ内側耳掻き(31)を構成する。
【００１１】
このほか、ペン軸(１)の末端から少し離れた場所にシート(14)を設ける。シート(14)のサイズはペン軸(1)の内側直径に合わせているため、シート(14)をペン軸(1)に詰める、或いは固定した後、シート(14)からペン軸(1)の末端までの間、ペン軸(1)内部空間にペン軸収納空間(12)を形成する。ペン軸収納空間(12)に、図1に示す爪楊枝(6)或いはその他の小物やカラー紙、糸楊枝などを収納することができる。
【００１２】
上述の爪楊枝(6)或いはその他の小物をペン軸収納空間(12)に入れた後、止め具(7)を利用してペン軸穴(13)を密閉する。止め具(7)の直径がペン軸(1)の末端にあるペン軸穴(13)の内側直径に相対するため、止め具(7)はペン軸穴(13)をしっかりと密閉し、中に収納する爪楊枝(6)或いはその他の小物が落ちることがない。
【００１３】
このほか、予め巻紙(2)の上に文(例えば候補者の名前)やカラー図案、電話、住所などをプリントしてから、透明のペン軸(1)に入れると、比較的ローコストの方法でペン軸(1)に宣伝文句をプリントすることができる。
【００１４】
図３に示すのは、本考案の多機能ボールペンの別の略図である。本考案の多機能ボールペンは同じく中空状のペン軸(1)、ペン軸(1)に嵌合するペン先鞘(4)、ペン軸(1)の内部に設置する芯(3)、ペン先鞘 (4)をかぶせるキャップ(5)を具有するが、別途に持ち手(62)を具有するカッター(64)を含む。本考案の多機能ボールペンにセットできるよう、ペン軸(1)の末端内部にねじ山(60)を設け、もち手(62)の上にもねじ山(62a)を設けることで、カッター(64)をペン軸(1)末端にある内部空間にねじ込んで収納する。
【００１５】
以上の実施例による本考案の詳細な説明は本考案の範囲を制限するものではない。逆に、本技術に熟知する者は、固定構造の変更などの適当な変更および調整を行っても本考案の重要な意義は失われない場合、本考案の範囲に含まれることを目的としている。
【図面の簡単な説明】
【００１６】
【図１】本考案多機能ボールペンの略図である。
【図２】本考案の芯の略図である。
【図３】本考案多機能ボールペンの別の略図である。
【符号の説明】
【００１７】
1  ペン軸
3  芯
4  ペン先鞘
5  キャップ
6  爪楊枝
7  止め具
11  スクリュー
12  収納空間
13  穴
14  シート
30  筆記部
31  内側耳掻き
32  芯の穴
33  内側耳掻き部品
33a  差込
41  スクリュー
42  芯の穴
51  クリップ
51a  クリップ耳掻き
60  ねじ山
62  握り手
64  カッター
【図１】
0003138258.tif 000003
【図２】
0003138258.tif 000004
【図３】
0003138258.tif 000005